(57)【特許請求の範囲】
【請求項１】
所定量の消毒液の濃縮液と、前記濃縮液を希釈する所定量の希釈液とを消毒液タンクに供給して混合し、所定濃度の消毒液を調製する内視鏡洗浄消毒装置において、
前記濃縮液を貯えたボトルから前記消毒液タンクに前記濃縮液を供給する濃縮液供給手段と、
前記消毒液タンク内において、所定量の前記濃縮液の液面に対応する位置に配置され、前記濃縮液供給手段から供給された前記濃縮液の液面を検知する濃縮液センサと、
前記濃縮液センサにより前記濃縮液の液面が検知された場合に、前記ボトル内にボトル洗浄液を供給して前記ボトル内を洗浄し、前記ボトル内を洗浄し終えた前記ボトル洗浄液を前記希釈液として前記消毒液タンク内に供給して前記濃縮液と混合させるボトル洗浄手段と、
前記消毒液タンク内において、所定量の前記濃縮液と所定量の前記希釈液とが混合された前記消毒液の液面に対応する位置に配置され、前記濃縮液と前記ボトル洗浄液とが混合された液体の液面を検知するボトル洗浄液センサと、
前記ボトル洗浄液センサにより、前記濃縮液と前記ボトル洗浄液とが混合された液体の液面が検知された場合に、前記ボトル洗浄手段を停止させる制御手段とを備えたことを特徴とする内視鏡洗浄消毒装置。
【請求項２】
前記消毒液タンクに前記濃縮液が供給される前に、前記希釈液を前記消毒液タンク内に供給する希釈液供給手段と、
前記消毒液タンク内において、所定量の前記希釈液の液面に対応する位置に配置され、前記希釈液供給手段から供給された前記希釈液の液面を検知する希釈液センサとを備えており、
前記制御手段は、前記希釈液センサにより前記希釈液の液面が検知された場合に、前記希釈液供給手段による前記希釈液の供給を停止させることを特徴とする請求項１記載の内視鏡洗浄消毒装置。
【請求項３】
前記希釈液供給手段は、前記ボトルから前記消毒液タンクに前記濃縮液を供給するための濃縮液注入路を開閉する蓋と、前記蓋が閉じられている状態で前記濃縮液注入路に前記ボトル洗浄液を供給し、前記蓋により跳ね返された前記ボトル洗浄液を前記希釈液として前記消毒液タンク内に供給する前記ボトル洗浄手段とを備えており、
前記制御手段は、前記ボトル洗浄液の液面が前記希釈液センサにより検知された場合に、前記ボトル洗浄手段による前記希釈液の供給を停止させることを特徴とする請求項２記載の内視鏡洗浄消毒装置。
【請求項４】
所定量の消毒液の濃縮液と、前記濃縮液を希釈する所定量の希釈液とを消毒液タンクに供給して混合し、所定濃度の消毒液を調製する内視鏡洗浄消毒装置の消毒液調製方法において、
濃縮液供給手段により、前記濃縮液を貯えたボトルから前記消毒液タンクに前記濃縮液を供給する工程と、
前記消毒液タンク内において、所定量の前記濃縮液の液面に対応する位置に配置されている濃縮液センサにより、前記濃縮液供給手段から供給された前記濃縮液の液面を検知する工程と、
前記濃縮液センサにより前記濃縮液の液面が検知された場合に、ボトル洗浄手段により前記ボトル内にボトル洗浄液を供給して前記ボトル内を洗浄し、前記ボトル内を洗浄し終えた前記ボトル洗浄液を前記希釈液として前記消毒液タンク内に供給して前記濃縮液と混合させる工程と、
前記消毒液タンク内において、所定量の前記濃縮液と所定量の前記希釈液とが混合された前記消毒液の液面に対応する位置に配置されているボトル洗浄液センサにより、前記濃縮液と前記ボトル洗浄液とが混合された液体の液面を検知する工程と、
前記ボトル洗浄液センサにより、前記濃縮液と前記ボトル洗浄液とが混合された液体の液面が検知された場合に、制御手段に前記ボトル洗浄手段を停止させる工程と備えたことを特徴とする内視鏡洗浄消毒装置の消毒液調製方法。
【請求項５】
前記濃縮液供給手段により前記濃縮液を貯えたボトルから前記消毒液タンクに前記濃縮液を供給する工程の前に、
希釈液供給手段により、前記希釈液を前記消毒液タンク内に供給する工程と、
前記消毒液タンク内において、所定量の前記希釈液の液面に対応する位置に配置されている希釈液センサにより、前記希釈液供給手段から供給された前記希釈液の液面を検知する工程と、
前記希釈液センサにより前記希釈液の液面が検知された場合に、前記制御手段に前記希釈液供給手段を停止させる工程とを備えたことを特徴とする請求項４記載の内視鏡洗浄消毒装置の消毒液調製方法。
【発明の詳細な説明】
【技術分野】
【０００１】
本発明は、ボトルから消毒液タンクに消毒液の濃縮液を供給し、消毒液タンク内で濃縮液と希釈液とを混合して所定濃度の消毒液を調製する内視鏡洗浄消毒装置、及び内視鏡洗浄消毒装置の消毒液調製方法に関する。
【背景技術】
【０００２】
生体の体腔内の検査や治療に使用される医療機器として、内視鏡が知られている。内視鏡は、体腔内に挿入される挿入部を備えている。挿入部は、可撓性を有する棒状体であり、体腔内を撮影する撮影部と、処置具が挿通される鉗子チャンネル等の各種チャンネルを備えている。使用後の内視鏡は、挿入部の外表面と各チャンネル内に体液や汚物が付着している。体液や汚物に含まれる病原菌やウイルスは院内感染の原因となるので、使用後の内視鏡は、必ず洗浄、消毒されている。
【０００３】
内視鏡の洗浄、消毒を効率的に行うため、内視鏡洗浄消毒装置が利用されている。内視鏡洗浄消毒装置は、使用後の内視鏡を洗浄槽に収容し、洗浄工程、消毒工程等の各種工程を自動的に行う。洗浄工程は、内視鏡に水、洗剤等を噴射して外表面及び各チャンネル内に付着した体液や汚物を洗い流す。消毒工程は、装置内に設けられている消毒液タンクから洗浄槽内に所定量の消毒液を供給し、洗浄槽内に貯えられた消毒液中に内視鏡を浸漬させる。洗浄工程で除去されなかった病原菌やウイルスを消毒液により除去し、または病原性を消失させている。
【０００４】
消毒液には、例えば、グルタールアルデヒト、オルトフタルアルデヒト、過酢酸等の高水準消毒剤が用いられている。従来は、グルタールアルデヒトが多用されていたが、現在では、消毒効果が高く、人体への悪影響が少ない過酢酸への切り換えが進んでいる。
【０００５】
消毒液タンク内に、過酢酸の濃縮液（以下、濃縮液と呼ぶ）と希釈液（例えば、水）とを供給し、両者を混合させて所定濃度の消毒液を自動的に調製する内視鏡洗浄消毒装置が知られている（例えば、特許文献１参照）。濃縮液は、プラスチックで形成された専用のボトルに入れて供給されている。濃縮液は、例えば、過酢酸濃度が６％であり、１０％以上の過酸化水素を含んでいるため、劇物扱いとされている。
【０００６】
濃縮液を封入したボトルは、内視鏡洗浄消毒装置に設けられたボトル取付部に取り付けられる。濃縮液は、ボトル取付部と消毒液タンクとをつなぐ濃縮液注入路を流れて、消毒液タンクに供給される。濃縮液が供給された消毒液タンクには、所定量の水が希釈液として供給され、所定濃度の消毒液が生成される。消毒液タンク内には、濃縮液と希釈液との液面位置を検出する液面センサが設けられている。
【０００７】
消毒液タンクは、内視鏡洗浄消毒装置の小型化を図るため、筐体内の空きスペースの形状に合せて形成されている。消毒液タンクを空きスペースに合せた複雑な形状で形成するため、例えばプラスチックによるブロー成形が用いられている。また、消毒液による消毒液タンクや液面センサのパッキンの劣化を防止するため、消毒液タンクやパッキンには、過酢酸に対する耐性が高いポリプロピレン（ＰＰ）や、ポリエチレン（ＰＥ）等のプラスチックが用いられている。
【特許文献１】特許第３５３７３７０号公報
【発明の開示】
【発明が解決しようとする課題】
【０００８】
過酢酸とその濃縮液には、非常に強い臭気がある。ボトルとボトル取付部は、気密、かつ液密に結合されるので、ボトルがボトル取付部に取り付けられている間は、ボトル内に残っている濃縮液の臭気が内視鏡洗浄消毒装置の外に漏れることはない。しかし、消毒液の交換時にボトル取付部からボトルを取り外すと、ボトル内、及びボトル取付部内に残留している濃縮液の臭気が外部に漏れてしまい、作業環境が悪化する。
【０００９】
ＰＰやＰＥを用いて形成された消毒液タンクやパッキンは、過酢酸に対する耐性を有している。しかし、濃度の高い過酢酸に何度も触れることにより、耐性を有する消毒液タンクやパッキンも劣化してしまう。また、濃縮液により消毒液タンク内に結晶が析出することがある。
【００１０】
本発明の目的は、消毒液の交換時にボトルから漏れる過酢酸の臭気を少なくすることにある。また、本発明の別の目的は、濃縮液による消毒液タンク等の劣化と、結晶の析出とを防止することにある。
【課題を解決するための手段】
【００１１】
本発明の内視鏡洗浄消毒装置は、所定量の消毒液の濃縮液と、濃縮液を希釈する所定量の希釈液とを消毒液タンクに供給して混合し、所定濃度の消毒液を調製する内視鏡洗浄消毒装置において、濃縮液を貯えたボトルから消毒液タンクに濃縮液を供給する濃縮液供給手段と、消毒液タンク内において、所定量の濃縮液の液面に対応する位置に配置され、濃縮液供給手段から供給された濃縮液の液面を検知する濃縮液センサと、濃縮液センサにより濃縮液の液面が検知された場合に、ボトル内にボトル洗浄液を供給してボトル内を洗浄し、ボトル内を洗浄し終えたボトル洗浄液を希釈液として消毒液タンク内に供給して濃縮液と混合させるボトル洗浄手段と、消毒液タンク内において、所定量の濃縮液と所定量の希釈液とが混合された消毒液の液面に対応する位置に配置され、濃縮液とボトル洗浄液とが混合された液体の液面を検知するボトル洗浄液センサと、ボトル洗浄液センサにより、濃縮液とボトル洗浄液とが混合された液体の液面が検知された場合に、ボトル洗浄手段を停止させる制御手段とを備えている。
【００１２】
消毒液タンクに濃縮液が供給される前に、希釈液を消毒液タンク内に供給する希釈液供給手段と、消毒液タンク内において、所定量の希釈液の液面に対応する位置に配置され、希釈液供給手段から供給された希釈液の液面を検知する希釈液センサとを備えており、制御手段は、希釈液センサにより希釈液の液面が検知された場合に、希釈液供給手段を停止させることが好ましい。
【００１３】
希釈液供給手段として、ボトルから消毒液タンクに濃縮液を供給するための濃縮液注入路を開閉する蓋と、蓋が閉じられている状態で濃縮液注入路にボトル洗浄液を供給し、蓋により跳ね返されたボトル洗浄液を希釈液として消毒液タンク内に供給するボトル洗浄手段とを備えており、制御手段は、ボトル洗浄液の液面が希釈液センサにより検知された場合に、ボトル洗浄手段を停止させることが好ましい。
【００１４】
本発明の内視鏡洗浄消毒装置の消毒液調製方法は、所定量の消毒液の濃縮液と、濃縮液を希釈する所定量の希釈液とを消毒液タンクに供給して混合し、所定濃度の消毒液を調製する内視鏡洗浄消毒装置の消毒液調製方法において、濃縮液供給手段により、濃縮液を貯えたボトルから消毒液タンクに濃縮液を供給する工程と、消毒液タンク内において、所定量の濃縮液の液面に対応する位置に配置されている濃縮液センサにより、濃縮液供給手段から供給された濃縮液の液面を検知する工程と、濃縮液センサにより濃縮液の液面が検知された場合に、ボトル洗浄手段によりボトル内にボトル洗浄液を供給してボトル内を洗浄し、ボトル内を洗浄し終えたボトル洗浄液を希釈液として消毒液タンク内に供給して濃縮液と混合させる工程と、消毒液タンク内において、所定量の濃縮液と所定量の希釈液とが混合された消毒液の液面に対応する位置に配置されているボトル洗浄液センサにより、濃縮液とボトル洗浄液とが混合された液体の液面を検知する工程と、ボトル洗浄液センサにより、濃縮液とボトル洗浄液とが混合された液体の液面が検知された場合に、制御手段にボトル洗浄手段を停止させる工程と備えている。
【００１５】
濃縮液供給手段により濃縮液を貯えたボトルから消毒液タンクに濃縮液を供給する工程の前に、希釈液供給手段により、前記希釈液を消毒液タンク内に供給する工程と、消毒液タンク内において、所定量の希釈液の液面に対応する位置に配置されている希釈液センサにより、希釈液供給手段から供給された希釈液の液面を検知する工程と、希釈液センサにより希釈液の液面が検知された場合に、制御手段に希釈液供給手段を停止させる工程とを備えてもよい。
【発明の効果】
【００１６】
本発明によれば、消毒液タンクに濃縮液を供給し終えたボトル内をボトル洗浄液で洗浄しているので、内視鏡洗浄消毒装置からボトルを取り外したときに、ボトル内から濃縮液の臭気が発生するのを防止することができる。また、ボトル洗浄液は、濃縮液を希釈する希釈液として利用しているので、希釈液を供給するため供給路等と、希釈液を供給する工程とを省略することができる。
【００１７】
また、別の発明では、消毒液タンク内に希釈液を供給し、その後に濃縮液を供給しているので、濃縮液が消毒液タンク等に直接触れることがない。これにより、濃縮液による消毒液タンク等の劣化と、結晶の析出とを防止することができる。また、消毒液タンク等の材質選択の幅が広がるので、消毒液タンク等のコストダウンや、成形性等の向上も期待できる。
【００１８】
消毒液タンク内に、希釈液、濃縮液、ボトル洗浄液を供給して消毒液を調製しているので、攪拌効果を得ることができる。これにより、濃度分布が均一な消毒液を得ることができる。
【発明を実施するための最良の形態】
【００１９】
図１に示す内視鏡１０は、本発明の内視鏡洗浄消毒装置によって洗浄、消毒される内視鏡の一例である。内視鏡１０は、生体の体腔内に挿入される挿入部１１と、挿入部１１を操作する操作部１２とを備えている。
【００２０】
挿入部１１は、断面が円形の棒状体であり、可撓性を有している。挿入部１１の先端には、体腔内を照明する照明部と、体腔内を撮影する撮影部（図示せず）とが設けられている。挿入部１１内には、挿入部１１の先端から一端が露呈されている送気・送水チャンネル１５、及び鉗子チャンネル１６が設けられている。鉗子チャンネル１６には、吸引チャンネル１７が接続されている。
【００２１】
操作部１２には、鉗子チャンネル１６が接続された鉗子口２０と、送気・送水ボタン２１と、吸引ボタン２２とが設けられている。鉗子口２０には、使用時に取り外される鉗子口キャップ２３が嵌合されている。送気・送水ボタン２１及び吸引ボタン２２は、送気・送水チャンネル１５が接続された装着口１２ａ、及び吸引チャンネル１７が接続された装着口１２ｂに着脱自在に取り付けられている。鉗子口キャップ２３、送気・送水ボタン２１及び吸引ボタン２２は、内視鏡１０の洗浄時に操作部１２から取り外される。
【００２２】
操作部１２に接続されたユニバーサルコード２５及びコネクタ部２６内には、送気・送水チャンネル１５及び吸引チャンネル１７と、照明部及び撮影部の配線が組み込まれている。コネクタ部２６には、配線を光源装置やビデオプロセッサに接続する接点部が設けられている。内視鏡１０の洗浄時には、接点部を隠して防水する防水キャップ２７（図３参照）が、コネクタ部２６に装着される。
【００２３】
図２に示す内視鏡洗浄消毒装置（以下、装置と呼ぶ）２８は、箱状の装置本体３０を備えている。装置本体３０の上面には、使用後の内視鏡１０が収容される洗浄槽３１が設けられている。洗浄槽３１は、上部が開放された水槽であり、例えばステンレス等の耐熱性、耐蝕性等に優れた金属板で形成されている。
【００２４】
装置本体３０の上面手前には、操作パネル３３及び表示パネル３４が配されている。操作パネル３３は、内視鏡１０の洗浄、消毒に関する各種設定や、洗浄及び消毒の開始または停止等を指示するための多数のボタンを備えている。表示パネル３４には、例えば液晶ディスプレイ（ＬＣＤ）が用いられ、各種設定画面、各工程の残り時間、トラブル発生時の警告メッセージ等が表示される。
【００２５】
装置本体３０の前面には、扉３６により開閉自在にされたボトル収容部３７が設けられている。ボトル収容部３７にはボトルユニット３８が収容される。ボトルユニット３８は、過酢酸の濃縮液を封入した第１ボトル３９と、緩衝剤を封入した第２ボトル４０とから構成されている。第１ボトル３９と第２ボトル４０は、外周に巻き回された帯状のフイルム４１によって締着されており、１つのボトルユニット３８として一体的に取り扱われている。
【００２６】
第１ボトル３９は、略箱状のボトル本体３９ａと、ボトル本体３９ａの上面に設けられた略円筒状の口部３９ｂと、口部３９ｂ内に設けられた蓋部３９ｃとを有している。ボトル本体３９ａ内には、濃縮液が貯えられている。口部３９ｂは、ボトル本体３９ａ内に連通されており、口部３９ｂを通してボトル本体３９ａ内の濃縮液を外部に注ぐことができる。蓋部３９ｃは、肉厚の薄い板状体からなり、濃縮液が漏れないように口部３９ｂを塞いでいる。第１ボトル３９は、過酢酸の濃縮液に対する耐性を有するプラスチックによって形成されている。
【００２７】
第１ボトル３９は、口部３９ｂが下方を向くように斜めに寝かせた状態でボトル収容部３７に収容される。口部３９ｂは、第１ボトル３９内の液体を自重により残さず外部に排出するため、ボトル本体３９ａの中心軸に対して偏心している。具体的には、第１ボトル３９を寝かせたときに底面となるボトル本体３９ａの側面３９ｄの内面に対し、口部３９ｂの内面が面一（同一平面内に位置する）とされている。なお、第２ボトル４０は、第１ボトル３９と同じものを用いているので、詳しい説明は省略する。
【００２８】
ボトル収容部３７の側方には、扉４４によって開閉自在にされたタンク収容部４５が設けられている。タンク収容部４５内には、洗剤タンク４６、アルコールタンク４７が収納されている。洗剤タンク４６には、内視鏡１０の洗浄に使用される洗剤が貯えられている。アルコールタンク４７には、内視鏡１０の洗浄、消毒後に各チャンネル内に流されるアルコールが貯えられている。
【００２９】
装置本体３０の上面には、洗浄槽３１を開閉するトップカバー４９が設けられている。トップカバー４９は、例えばプラスチックで形成された略矩形の板状体であり、装置本体３０の上面に設けられたヒンジ５０に一辺が軸支されている。トップカバー４９は、内視鏡１０の洗浄、消毒時に閉じられて洗浄槽３１の上部を覆う。トップカバー４９の外周には、閉じられたときに洗浄槽３１内を密閉するパッキン４９ａが設けられている。トップカバー４９の上面は、透明なのぞき窓となっており、洗浄や消毒の様子を視認することが可能である。また、詳しくは図示しないが、トップカバー４９には、閉じ位置でロックするためのロック機構が設けられている。
【００３０】
洗浄槽３１の角部に設けられた傾斜部３１ａには、内視鏡１０の洗浄、消毒に用いる液体を洗浄槽３１内に供給する供給ポート５２が設けられている。供給ポート５２には、洗浄槽３１内に向けて屈曲された給水ノズル５３、洗剤供給ノズル５４、消毒液供給ノズル５５が設けられている。これらのノズル５３〜５５は、洗浄槽３１内に貯えられる液体の液面よりも高い位置に配置されている。トップカバー４９には、供給ポート５２を収容する突出部４９ｂが設けられている。
【００３１】
給水ノズル５３は、洗浄槽３１内に水を供給する。洗剤供給ノズル５４は、洗剤タンク４６内に貯えられている洗剤を洗浄槽３１内に供給する。消毒液供給ノズル５５は、消毒液タンク内に貯えられている消毒液を洗浄槽３１内に供給する。使用後の内視鏡１０に付着している体液や汚物は、水と洗剤とが混合された洗浄液により洗い流される。洗浄液で洗い流されなかった病原菌やウイルスは、消毒液により除去され、または病原性が消失される。
【００３２】
図３に示すように、洗浄槽３１の内側面３１ｂには、チャンネル洗浄ポート５７が設けられている。チャンネル洗浄ポート５７は、図１に示す内視鏡１０の送気・送水チャンネル１５、鉗子チャンネル１６及び吸引チャンネル１７内の洗浄、消毒に用いられる。チャンネル洗浄ポート５７には、送気・送水チャンネル用カプラ５８、吸引チャンネル用カプラ５９、鉗子チャンネル用カプラ６０が設けられている。
【００３３】
洗浄槽３１に収容された内視鏡１０は、柔軟性を有するチューブ６２〜６４によって、装着口１２ａ，１２ｂ及び鉗子口２０が各カプラ５８〜６０に接続されている。各カプラ５８〜６０からは、水、洗浄液、消毒液、アルコール、及び圧縮エア等の気体及び液体が、送気・送水チャンネル１５、鉗子チャンネル１６及び吸引チャンネル１７内に供給される。
【００３４】
洗浄槽３１の内側面３１ｃには、内視鏡１０の気密試験に用いられる気密試験ポート６５が設けられている。気密試験ポート６５には、圧縮エアを供給するチューブカプラ６５ａが設けられている。チューブカプラ６５ａには、柔軟性を有するチューブが装着される。チューブは、コネクタ部２６に装着された防水キャップ２７に接続される。内側面３１ｃの近傍には、液面センサ６６が設けられている。液面センサ６６は、洗浄槽３１内に貯えられた液体の液面位置を検出する。
【００３５】
洗浄槽３１の底面３１ｄの中央には、小物洗浄かご６８が取り付けられている。小物洗浄かご６８は、例えば上部が開口された円形のかごであり、内視鏡１０の操作部１２から取り外された送気・送水ボタン２１、吸引ボタン２２、鉗子口キャップ２３等の小物部品が収容される。底面３１ｄの角部には、廃液口６９が設けられている。廃液口６９は、洗浄槽３１から使用済みの水、洗浄液、消毒液を排出する。
【００３６】
図４は、装置本体３０内の配管系統を示している。洗浄槽３１の下面には、ラバーヒータ７１が取り付けられている。ラバーヒータ７１は、洗浄槽３１を介して、洗浄槽３１内に貯えられた洗浄液または消毒液を加熱する。洗浄槽３１内には、洗浄液または消毒液の温度を計測する温度センサ（ＴＥ）７２と、液面センサ（ＬＳ）６６とが設けられている。液面センサ６６は、例えば液面に応じてフロートが上下動するフロート式レベルセンサが用いられる。
【００３７】
給水ノズル５３には、水、洗浄液、消毒液が流される給液路７４が接続されている。給液路７４の他端は、電動三方弁７５の吐出口に接続されている。電動三方弁７５の一方の流入口には、給水路７６が接続されている。
【００３８】
給水路７６は、装置本体３０の外部に露呈されて水道水の蛇口に接続されている。給水路７６には、蛇口に接続される側から電磁弁７８、ウォータフィルタ（ＷＦ）７９が設けられている。電磁弁７８は、給水路７６に対する水道水の供給／停止を切り換える。ＷＦ７９は、水道水に含まれる異物や細菌を捕捉する。電動三方弁７５は、洗浄槽３１内に水を供給する際に、給液路７４と給水路７６とを接続する。
【００３９】
洗剤供給ノズル５４には、洗剤供給路８１が接続されている。洗剤供給路８１の他端は、洗剤（例えば、液状酵素洗剤等）８２が貯えられた洗剤タンク４６に接続されている。洗剤供給路８１には、ウォータポンプ（以下、ＷＰと省略する）８３が設けられている。ＷＰ８３は、洗剤タンク４６内の洗剤８２を吸引し、洗剤供給ノズル５４から吐出させる。
【００４０】
消毒液供給ノズル５５には、消毒液供給路８５が接続されている。消毒液供給路８５の他端は、消毒液８６が貯えられた消毒液タンク８７に接続されている。消毒液供給路８５には、消毒液８６を吸引して消毒液供給ノズル５５から吐出させるＷＰ８８が設けられている。
【００４１】
消毒液タンク８７は、過酢酸に対する耐性を有するポリプロピレン（ＰＰ）を用いて、ブロー成形により成形されている。ブロー成形を用いているのは、装置本体３０内の空きスペースに合せた複雑な形状で消毒液タンク８７を形成し、かつ所定の強度を持たせるためである。消毒液タンク８７の下面には、使用済みの消毒液８６を排出する排出口９０が設けられている。排出口９０には、装置本体３０の外まで引き回された排出路９１が接続されている。排出路９１には、電磁弁９２が設けられている。
【００４２】
廃液口６９には、廃液路９４が接続されている。廃液路９４は、下流側で第１廃液路９５と第２廃液路９６とに分岐されている。第１廃液路９５は、内視鏡１０の洗浄で使用された洗浄液、水をＷＰ９７によって装置本体３０の外に排出する。第２廃液路９６は、内視鏡１０の消毒に使用された消毒液８６を消毒液タンク８７に戻す。消毒液８６は、数回の使用では消毒効果が消失しないので、消毒液タンク８７に戻して繰り返し使用される。第１廃液路９５及び第２廃液路９６は、各々に設けられた電磁弁９８、９９の開閉により切り換えられる。
【００４３】
廃液口６９には、循環路１０１も接続されている。循環路１０１には、洗浄槽３１内の液体を吸引するＷＰ１０２が設けられている。循環路１０１は、下流側で第１循環路１０３と第２循環路１０４とに分岐している。第１循環路１０３は、電動三方弁７５の他方の流入口に接続されている。電動三方弁７５は、第１循環路１０３と給液路７４とを接続し、ＷＰ１０２により洗浄槽３１内から吸引された液体を給水ノズル５３から洗浄槽３１内に噴出して循環させる。
【００４４】
第２循環路１０４は、チャンネル洗浄ポート５７の送気・送水チャンネル用カプラ５８、吸引チャンネル用カプラ５９、鉗子チャンネル用カプラ６０に接続されている。ＷＰ１０２により洗浄槽３１内から吸引された液体は、各カプラ５８〜６０から内視鏡１０の各チャンネル１５〜１７内に供給される。
【００４５】
チャンネル洗浄ポート５７には、第２循環路１０４の他、各チャンネル内に送風して水滴を除去する送気路や、各チャンネル内にアルコールを流して乾燥させるアルコール供給路等が接続されている。なお、図面の煩雑化を防ぐため、図４には、送気路、アルコール供給路等を図示していない。
【００４６】
消毒液タンク８７の近傍には、ボトル収容部３７が配置されている。ボトル収容部３７は、ボトルユニット３８が載置される底面部１０７を有している。底面部１０７は、装置本体３０の奥に向かって低くなるように傾斜されている。ボトルユニット３８は、口部３９ｂが下方を向くように倒され、側面３９ｄが底面部１０７に載置される。底面部１０７の最下端には、第１ボトル取付部１０８が設けられている。第１ボトル取付部１０８は、第１ボトル３９の口部３９ｂの外側に、気密、かつ液密に嵌合する口金形状を有している。
【００４７】
第１ボトル取付部１０８には、消毒液タンク８７の上部に設けられた濃縮液注入路１１０が取り付けられている。濃縮液注入路１１０は、消毒液タンク８７内に連通されたパイプからなり、尖った先端部１１０ａが第１ボトル取付部１０８内に突出している。濃縮液注入路１１０は、ボトルユニット３８の口部３９ｂが第１ボトル取付部１０８内に押し込まれたときに、先端部１１０ａで蓋部３９ｃを押し破り、第１ボトル３９内に挿入される。
【００４８】
なお、詳しくは図示しないが、ボトル収容部３７には、第２ボトル４０のために第２ボトル取付部も設けられている。第２ボトル取付部は、第１ボトル取付部１０８と同様の形状を有している。第２ボトル取付部には、濃縮液注入路１１０と並んで消毒液タンク８７に設けられた緩衝剤注入路が接続されている。緩衝剤は、濃縮液と同時に、緩衝剤注入路を通って消毒液タンク８７内に供給される。
【００４９】
濃縮液注入路１１０内には、ボトル洗浄ノズル１１２が設けられている。ボトル洗浄ノズル１１２には、給水路７６から分岐されたボトル洗浄路１１３が接続されている。ボトル洗浄路１１３には、電磁弁１１４が設けられている。ボトル洗浄ノズル１１２から、第１ボトル３９内に噴射された水は、ボトル洗浄液として第１ボトル３９内を洗浄する。
【００５０】
ボトル収容部３７内には、ボトルユニット３８を検知するボトルセンサ１１６が設けられている。ボトルセンサ１１６は、第１ボトル３９及び第２ボトル４０が、第１ボトル取付部１０８及び第２ボトル取付部に押し込まれたときに、ボトルユニット３８を検知する。
【００５１】
消毒液タンク８７内には、液体の液面を検出してオンする濃縮液センサ１１８と、ボトル洗浄液センサ１１９とが設けられている。濃縮液センサ１１８及びボトル洗浄液センサ１１９は、例えば消毒液タンク８７に形成された孔を利用して、消毒液タンク８７の外側から消毒液タンク８７内に取り付けられている。消毒液タンク８７と濃縮液センサ１１８及びボトル洗浄液センサ１１９の間には、消毒液８６の漏れを防止するパッキンが取り付けられている。このパッキンには、過酢酸に対する耐性を有するＰＰや、ポリエチレン（ＰＥ）等が用いられている。
【００５２】
濃縮液センサ１１８は、ボトルユニット３８から供給されるべき濃縮液及び緩衝剤の規定量を検知する。ボトル洗浄液センサ１１９は、消毒液タンク８７内に貯えられている規定量の濃縮液及び緩衝剤を希釈して所定濃度の消毒液８６を調製するために供給されるべき希釈液の供給量を検知する。なお、本発明では、ボトル洗浄液を希釈液として用いている。そのため、ボトル洗浄液センサ１１９は、第１ボトル３９から消毒液タンク８７内に流れ込んだボトル洗浄液が所定量に達したときに、濃縮液と、緩衝剤と、ボトル洗浄液とが混合された液体の液面を検知する。
【００５３】
図５に示すように、装置２８は、装置全体を統括的に制御するＣＰＵ１２２と、制御プログラムや各種データが記憶されたＲＯＭ１２３と、ＲＯＭ１２３から読み出された制御プログラムの実行領域であるＲＡＭ１２４とを備えている。ＣＰＵ１２２には、液面センサ６６、温度センサ７２、ボトルセンサ１１６、濃縮液センサ１１８、ボトル洗浄液センサ１１９等のセンサが接続されている。また、ＣＰＵ１２２には、表示パネル３４を駆動するＬＣＤドライバ１２５、各電磁弁を駆動する弁ドライバ１２６、電動三方弁７５を駆動するモータドライバ１２７等も接続されている。各ＷＰを駆動するＷＰドライバ１２８、ラバーヒータ７１を駆動するヒータドライバ１２９等もＣＰＵ１２２に接続されている。
【００５４】
装置２８は、洗浄消毒モード、消毒液調製モード、消毒液排出モード等、複数の動作モードを備えている。各モードは、操作パネル３３の操作により選択される。以下では、図６のフローチャートを参照しながら、消毒液タンク８７内で新たな消毒液８６を調製する消毒液調製モードについて説明する。
【００５５】
装置２８が操作パネル３３の操作により消毒液調製モードにセット（Ｓ１）されると、ＣＰＵ１２２は、濃縮液センサ１１８及びボトル洗浄液センサ１１９の信号に基づいて、消毒液タンク８７内の消毒液８６の有無を確認する（Ｓ２）。ＣＰＵ１２２は、消毒液タンク８７内に消毒液８６が貯えられているときには、電磁弁９２を開いて消毒液タンク８７内の消毒液８６を排出させる（Ｓ３）。消毒液タンク８７内に消毒液８６が無いときには、ＣＰＵ１２２は、新しいボトルユニット３８の取り付けを受け入れる（Ｓ４）。なお、消毒液８６の排出後に所定量の希釈液を消毒液タンク８７内に供給し、消毒液タンク８７内を洗浄するのが好ましい。
【００５６】
図７（Ａ）に示すように、濃縮液１３２及び緩衝剤を貯えたボトルユニット３８は、口部３９ｂが下方を向くように斜めに寝かされた状態で、口部３９ｂ側からボトル収容部３７内に収容される。ボトルユニット３８は、底面部１０７上に載置される。
【００５７】
図７（Ｂ）に示すように、ボトルユニット３８は、底面部１０７上をスライドされ、第１ボトル取付部１０８内に口部３９ｂが押し込まれる。口部３９ｂ内には、濃縮液注入路１１０の先端部１１０ａが挿入され、蓋部３９ｃが押し破られる。口部３９ｂの外周には、第１ボトル取付部１０８が気密、かつ液密になるように嵌合されるので、濃縮液１３２の臭気が第１ボトル３９から漏れることはない。なお、詳しくは説明しないが、第２ボトル４０も第１ボトル３９と同様に、第２ボトル取付部に嵌合される。
【００５８】
ボトルユニット３８内の濃縮液１３２及び緩衝剤は、濃縮液注入路１１０及び緩衝剤注入路を通って消毒液タンク８７内に流れ込む。濃縮液センサ１１８は、濃縮液１３２と緩衝剤とが混合された液面を検出してオンする（Ｓ５）。
【００５９】
ボトルセンサ１１６は、ボトル収容部３７に収容されたボトルユニット３８を検知してオンしている。また、ＣＰＵ１２２は、ボトルセンサ１１６がオンしてから所定時間の計測を行っている。そして、所定時間内に濃縮液センサ１１８がオンしないときに、エラー処理を行う（Ｓ６）。所定時間内に濃縮液センサ１１８がオンしないときには、空のボトルユニット３８、あるいは濃縮液１３２等の収容量の少ないボトルユニット３８等がセットされた可能性があるからである。なお、濃縮液１３４等が検知されないエラー原因としては、消毒液タンク８７の外に濃縮液１３４等が漏れる等の給液ミスも考えられる。エラー処理としては、例えば、表示パネル３４にエラーメッセージを表示する。
【００６０】
図７（Ｃ）に示すように、ＣＰＵ１２２は、濃縮液センサ１１８のオン信号に応じて、電磁弁７８、１１４を開く。給水路７６及びボトル洗浄路１１３を流れた水は、ボトル洗浄液１３６として、ボトル洗浄ノズル１１２から第１ボトル３９内に噴射される（Ｓ７）。これにより、第１ボトル３９内に残った濃縮液１３２がボトル洗浄液１３６により洗い流される。なお、消毒液調製モードでは、電動三方弁７５は、給液路７４と第１循環路１０３とを接続するように切り換えられているので、洗浄槽３１内に水が流れ込むことはない。
【００６１】
濃縮液注入路１１０を通って消毒液タンク８７内に流れ込んだボトル洗浄液１３６は、濃縮液１３２を希釈して消毒液８６を調製する。消毒液８６の液面がボトル洗浄液センサ１１９に達すると、ボトル洗浄液センサ１１９がオンする（Ｓ８）。ＣＰＵ１２２は、ボトル洗浄液センサ１１９のオン信号に応じて、電磁弁７８、１１４を閉じ、ボトル洗浄液１３６の供給を停止する（Ｓ９）。消毒液タンク８７内には、所定濃度の消毒液８６が調製される。
【００６２】
次に、内視鏡１０の洗浄及び消毒が行われる洗浄消毒モードについて、図８を参照しながら簡単に説明する。洗浄槽３１に使用済みの内視鏡１０が収容され、操作パネル３３による洗浄消毒モードがセット（Ｓ１０）されると、洗浄工程（Ｓ１１）が開始される。
【００６３】
ＣＰＵ１２２は、電磁弁７８、電動三方弁７５、ＷＰ８３等を駆動し、洗浄槽３１内に所定量の水と洗剤８２を供給し、ラバーヒータ７１で加熱する。ＣＰＵ１２２は、水と洗剤８２とが混合されてなる洗浄液をＷｐ１０２により吸引し、循環路１０１、１０３、１０４等により循環させ、給水ノズル５３から内視鏡１０に向けて噴射し、外表面に付着した汚物を洗い流させる。また、内視鏡１０の各チャンネル内にも洗浄液を流して洗浄する。洗浄工程の終了後、洗浄液は廃液路９４、９５を通って排出される。
【００６４】
洗浄工程後、すすぎ工程（Ｓ１２）が開始される。ＣＰＵ１２２は、洗浄槽３１内に水を供給し、この水を循環させて、内視鏡１０の外表面及び各チャンネル内に残っている洗浄液を除去する。すすぎで使用された水も、廃液路９４、９５を通って排出される。
【００６５】
すすぎ工程後、消毒工程（Ｓ１３）が開始される。ＣＰＵ１２２は、ＷＰ８８を駆動させて消毒液タンク８７内の消毒液８６を吸引し、洗浄槽３１内に所定量の消毒液８６を供給する。消毒液８６は、ラバーヒータ７１により加熱される。洗浄工程、すすぎ工程と同様に、消毒液８６は、洗浄槽３１及び内視鏡１０の各チャンネル内を循環され、洗浄工程で洗い流されなかった病原菌やウイルスを除去し、または病原性を消失させる。消毒工程の終了後、消毒液８６は、廃液路９４、９６を通って消毒液タンク８７内に戻される。
【００６６】
消毒液８６を取り除くすすぎ工程（Ｓ１４）と、内視鏡１０の各チャンネル内を送気及びアルコールにより乾燥させる乾燥工程（Ｓ１５）を経て、内視鏡１０の洗浄消毒が完了する。
【００６７】
次に、使用済みの消毒液８６を装置２８から排出する際に用いられる消毒液排出モードについて、図９のフローチャートを参照しながら説明する。
【００６８】
消毒液８６は、内視鏡１０の洗浄後に洗浄槽３１内に残った水が混じることにより濃度が薄くなり、あるいは過酢酸の分解が進んで消毒効果が弱くなる。また、洗浄槽３１や内視鏡１０に付着した消毒液８６が消毒液タンク８７に回収されずに残ることにより、消毒液タンク８７内の消毒液８６が減少する。消毒液８６は、消毒効果が弱くなったとき、あるいは消毒液タンク８７内の貯留量が少なくなったときに交換が必要となる。また、調整後に所定の時間が経過した消毒液８６も分解して消毒効果が弱くなっている可能性があるため、交換を要する。
【００６９】
本実施形態の装置２８は、例えば、消毒液８６の調製後に消毒液８６の使用回数、すなわち内視鏡１０の消毒回数をカウントし、そのカウント値が所定回数に達したときに、表示パネル３４に消毒液８６の交換を促すメッセージを表示する。操作パネル３３により、装置２８が消毒液排出モードにセット（Ｓ２０）されると、ＣＰＵ１２２は、濃縮液センサ１１８及びボトル洗浄液センサ１１９の信号に基づいて、消毒液タンク８７内の消毒液８６の有無を確認する（Ｓ２１）。
【００７０】
ＣＰＵ１２２は、消毒液タンク８７内に消毒液８６が貯えられているときに、電磁弁９２を開く（Ｓ２２）。消毒液タンク８７内の消毒液８６は、排出口９０、排出路９１を通って装置本体３０の外に排出される。ＣＰＵ１２２は、濃縮液センサ１１８がオフ（Ｓ２３）し、所定時間が経過してから電磁弁９２を閉じる（Ｓ２４）。消毒液タンク８７内の消毒液８６を全て排出するためである。ＣＰＵ１２２は、消毒液タンク８７内に消毒液８６が無いときには、エラー処理を行う（Ｓ２５）。エラー処理としては、例えば、表示パネル３４に排出する消毒液８６が無い旨を表示する。消毒液８６の排出後に所定量の希釈液を消毒液タンク８７内に供給し、消毒液タンク８７内を洗浄するのが好ましい。
【００７１】
消毒液８６の排出後、ボトル収容部３７に収容されている空のボトルユニット３８を新しいボトルユニット３８に交換することができる。空のボトルユニット３８は、濃縮液１３２の供給時に、ボトル洗浄液１３６によって第１ボトル３９内が洗浄されている。そのため、空のボトルユニット３８をボトル収容部３７から取り外したときに、濃縮液１３２の臭気によって作業環境が悪化することはない。
【００７２】
上記実施形態では、濃縮液１３２、ボトル洗浄液１３６の順に液体を消毒液タンク８７に供給して消毒液８６を調製しているが、濃縮液１３２の前に希釈液を消毒液タンク８７に供給して消毒液８６を調製してもよい。以下では、希釈液を先に消毒液タンク８７に供給して消毒液８６を調製する実施形態について説明する。
【００７３】
図１０（Ａ）に示すように、本実施形態では、給水路７６と第２廃液路９６とを希釈路１４０により接続している。希釈路１４０には、電磁弁１４１を設けている。また、消毒液タンク８７内には、希釈液の液面を検知する希釈液センサ１４２を設けている。希釈液センサ１４２は、濃縮液センサ１１８の下方に配置されている。希釈液センサ１４２は、ＣＰＵ１２２に接続されている。希釈液センサ１４２と濃縮液センサ１１８の距離は、濃縮液１３２及び緩衝剤の規定量に合せて設定されている。
【００７４】
図６及び図１１のフローチャートにしたがって、上記実施形態による消毒液調製モードを説明する。ＣＰＵ１２２は、Ｓ１〜Ｓ３の処理を行ない、消毒液タンク８７内に消毒液８６が無いことを確認する。ＣＰＵ１２２は、消毒液タンク８７内に消毒液８６が無いときに電磁弁７８、１４１を開く。
【００７５】
図１０（Ａ）に示すように、給水路７６、希釈路１４０、第２廃液路９６を流れた水は、希釈液１４４として消毒液タンク８７内に供給される（Ｓ３０）。希釈液センサ１４２は、所定量の希釈液１４４が供給されたときに、その液面を検知してオンする（Ｓ３１）。ＣＰＵ１２２は、希釈液センサ１４２がオンしたときに電磁弁７８、１４１を閉じ、希釈液１４４の供給を停止する（Ｓ３２）。
【００７６】
ＣＰＵ１２２は、Ｓ４の処理を行なう。図１０（Ｂ）に示すように、消毒液タンク８７内には、規定量の濃縮液１３２及び緩衝剤が供給される。濃縮液センサ１１８は、希釈液１４４と濃縮液１３２及び緩衝剤とが混合された液面を検知してオンする（Ｓ５）。
【００７７】
ＣＰＵ１２２は、Ｓ７〜Ｓ９の処理を行なう。図１０（Ｃ）に示すように、第１ボトル３９内は、ボトル洗浄液１３６により洗浄される。また、消毒液タンク８７内には、ボトル洗浄液１３６により希釈された所定濃度の消毒液８６が調製される。
【００７８】
本実施形態によれば、消毒液タンク８７及び各センサのパッキンに濃縮液１３２が直接触れないので、消毒液タンク８７及びパッキンの劣化を防止することができる。また、濃縮液１３２により、消毒液タンク８７内に結晶が析出するのも防止することができる。消毒液タンク８７及びパッキンの材質選定の幅が広がるので、コストダウンや、成形性等の向上も期待できる。また、希釈液１４４、濃縮液１３２、ボトル洗浄液１３６の順に供給することによる攪拌効果も得られるので、消毒液８６の濃度分布を均一にすることができる。
【００７９】
なお、希釈液１４４の供給量は、濃縮液１３２による消毒液タンク８７及びパッキンの劣化を防止するという観点からすれば、多いほうが好ましい。例えば、濃縮液１３２を所定の濃度に希釈するために必要な希釈液全体の量から、第１ボトル３９の洗浄に必要なボトル洗浄液１３６の量を減算した値を希釈液１４４の供給量として用いてもよい。
【００８０】
上記実施形態では、第２廃液路９６を通して消毒液タンク８７内に希釈液１４４を供給しているが、ボトル洗浄ノズル１１２から供給されるボトル洗浄液１３６を希釈液として用いてもよい。図１２（Ａ）に示すように、例えば、濃縮液注入路１１０の先端部１１０ａに蓋１５０を設ける。蓋１５０は、濃縮液注入路１１０に取り付けられた回転軸１５１によって回動自在に支持されており、先端部１１０ａを塞ぐ閉じ位置と、先端部１１０ａを開放する開放位置との間で回動する。また、蓋１５０は、例えば図示しないバネによって閉じ位置に付勢されている。蓋１５０には、回転軸１５１を挟んで反対側に突起１５２が設けられている。
【００８１】
消毒液タンク８７内に希釈液を供給する際には、第１ボトル取付部１０８にボトルユニット３８を取り付けない状態で、ボトル洗浄ノズル１１２から水を噴射させる。蓋１５０を閉じ位置に付勢しているバネの付勢力をボトル洗浄ノズル１１２から噴射される水の圧力よりも強くしておけば、蓋１５０により跳ね返された水を希釈液１４４として消毒液タンク８７内に供給することができる。
【００８２】
図１２（Ｂ）に示すように、第１ボトル取付部１０８にボトルユニット３８を取り付けると、第１ボトル３９の口部３９ｂによって突起１５２が押される。これにより、蓋１５０がバネの付勢に抗して開放位置に回動するので、消毒液タンク８７内に濃縮液１３２を供給することができる。濃縮液１３２及び緩衝剤の供給後、第１ボトル３９内を洗浄したボトル洗浄液１３６を消毒液タンク８７内に供給すれば、所定濃度の消毒液８６を得ることができる。この実施形態においても、濃縮液１３２が消毒液タンク８７やパッキン等に直接触れるのを防止することができる。
【００８３】
蓋１５０と同様の蓋を緩衝剤注入路にも設けてもよい。これによれば、ボトル収容部３７にボトルユニット３８が収容されていないときに、消毒液タンク８７から消毒液８６の臭気が漏れるのを防止することができる。
【００８４】
上記各実施形態では、濃縮液１３２の供給を実質的にユーザに行わせているが、装置２８で自動的に行ってもよい。例えば、濃縮液注入路１１０及び緩衝剤注入路に電磁弁を設け、ボトルユニット３８から消毒液タンク８７に濃縮液１３２等が供給されるタイミングを装置２８自身で決定するのが好ましい。
【００８５】
本発明は、内視鏡の洗浄機能を有しない内視鏡消毒装置にも適用可能である。また、内視鏡の処置具や、その他の医療器具等の消毒装置にも利用することができる。本発明は、上記実施形態に限定されるものではなく、発明の要旨を逸脱しない範囲で種々変形して実施することが可能である。
【図面の簡単な説明】
【００８６】
【図１】内視鏡の構成例を示す平面図である。
【図２】本発明の内視鏡洗浄消毒装置の外観形状を示す斜視図である。
【図３】洗浄槽の構成を示す平面図である。
【図４】装置本体内の概略的な配管系統を示す配管図である。
【図５】内視鏡洗浄消毒装置の電気的構成の一部を示すブロック図である。
【図６】消毒液調製モードの工程順序を示すフローチャートである。
【図７】消毒液調製モードの工程順序を示す説明図である。
【図８】洗浄消毒モードの工程順序を示すフローチャートである。
【図９】消毒液排出モードの工程順序を示すフローチャートである。
【図１０】希釈液を供給してから消毒液を調製する消毒液調製モードの工程順序を示す説明図である。
【図１１】希釈液を供給してから消毒液を調製する消毒液調製モードの工程順序を示すフローチャートである。
【図１２】ボトル洗浄ノズルを利用して希釈液を供給する工程順序を示す説明図である。
【符号の説明】
【００８７】
１０  内視鏡
２８  内視鏡洗浄消毒装置
３１  洗浄槽
３７  ボトル収容部
３８  ボトルユニット
３９  第１ボトル
４０  第２ボトル
８６  消毒液
８７  消毒液タンク
１０８  第１ボトル取付部
１１０  濃縮液注入路
１１２  ボトル洗浄ノズル
１１３  ボトル洗浄路
１１８  濃縮液センサ
１１９  ボトル洗浄液センサ
１３２  濃縮液
１３６  ボトル洗浄液
１４０  希釈路
１４２  希釈液センサ
１４４  希釈液
１５０  蓋
【図１】
0005230247.tif 000002
【図２】
0005230247.tif 000003
【図３】
0005230247.tif 000004
【図４】
0005230247.tif 000005
【図５】
0005230247.tif 000006
【図６】
0005230247.tif 000007
【図７】
0005230247.tif 000008
【図８】
0005230247.tif 000009
【図９】
0005230247.tif 000010
【図１０】
0005230247.tif 000011
【図１１】
0005230247.tif 000012
【図１２】
0005230247.tif 000013